(57)【要約】【課題】ＰＥＴボトル等のボトルの側部の内面のみならず、肩部の内面及び底部の内面も十分に摺洗できるボトル用洗浄具を提供する。【解決手段】柄２と、柄２から突出する態様で柄２に設けられた第１洗浄部１１と、第１洗浄部１１の先端部から、第１洗浄部の軸線方向に対し斜め前方方向に延ばされた第２洗浄部１２と、第２洗浄部１２の先端部から、第１洗浄部の軸線方向に略平行状に延ばされた第３洗浄部１３と、第３洗浄部１３の先端部から、第１洗浄部の軸線方向に対し略直交する方向における内方に向けて延ばされた第４洗浄部１４と、を備えた構成とする。【選択図】図１
2017056366.tif 000002
【特許請求の範囲】
【請求項１】
柄と、
前記柄から突出する態様で前記柄に設けられた第１洗浄部と、
前記第１洗浄部の先端部から、該第１洗浄部の軸線方向に対し斜め前方方向に延ばされた第２洗浄部と、
前記第２洗浄部の先端部から、前記第１洗浄部の軸線方向に略平行状に延ばされた第３洗浄部と、
前記第３洗浄部の先端部から、前記第１洗浄部の軸線方向に対し略直交する方向における内方に向けて延ばされた第４洗浄部と、を備えることを特徴とするボトル用洗浄具。
【請求項２】
前記第２洗浄部の軸線方向と、前記第１洗浄部の軸線方向とがなす角度（鋭角）が３０度〜６０度の範囲である請求項１に記載のボトル用洗浄具。
【請求項３】
前記第１洗浄部、前記第２洗浄部、前記第３洗浄部、前記第４洗浄部は、それぞれブラシ部材または軟質多孔質部材で形成されている請求項１または２に記載のボトル用洗浄具。
【請求項４】
前記柄は、基端側に配置された略棒状の第１柄部と、前記第１洗浄部側に配置された略棒状の第２柄部と、を備え、
前記略棒状の第２柄部の外径は、前記略棒状の第１柄部の外径よりも小さく、
前記第１柄部の内部に、前記第２柄部の少なくとも基端部を収容し得る挿通空間が設けられると共に、前記第１柄部の先端に前記挿通空間と連通する開口孔が設けられ、
前記第２柄部の少なくとも基端部が、前記開口孔を介して前記第１柄部の挿通空間内に挿通移動可能に配置され、
前記第２柄部が前記第１柄部に対して前方側に進出した進出位置で前記第２柄部を前記第１柄部に固定すると共に、前記第２柄部が前記第１柄部に対して前記進出位置よりも後方側に後退した位置で前記第２柄部を前記第１柄部に固定するロック手段を備えている請求項１〜３のいずれか１項に記載のボトル用洗浄具。
【発明の詳細な説明】
【技術分野】
【０００１】
本発明は、ＰＥＴボトル等のボトルの側部の内面のみならず、肩部の内面及び底部の内面も十分に摺洗できるボトル用洗浄具に関する。
【背景技術】
【０００２】
市販のＰＥＴボトル飲料水は、飲み終わった後、中が空になったＰＥＴボトルは、資源としてリサイクル利用に出されることが多くなってきているが、この時、ＰＥＴボトルの中を良く洗浄してからリサイクル利用に出すのが一般的である。
【０００３】
また、近年、このような飲み終わった後のＰＥＴボトルを家庭等で洗浄した後、このＰＥＴボトルに麦茶、ミネラルウォーター、スポーツドリンク等を自分で入れて、携帯して持ち歩いて必要時に飲み、家に持ち帰ったら、ＰＥＴボトルの中をきれいに洗浄して次の日等にまた新たに麦茶、ミネラルウォーター、スポーツドリンク等を入れて携行する、ということを行う人も増えてきている。
【０００４】
ＰＥＴボトルの洗浄を行う洗浄具としては、スポンジまたはネット状のたわしに数個のボールを埋め込んだもの、または、数個のたわしを紐で連結したものを、洗浄液飛散防止用キャップに連結紐で連結したボトル洗浄器（特許文献１参照）や、柄の先端に細部洗浄部を設け、細部洗浄部の後部に放射状もしくは花びら状のスポンジを設けてなるボトル洗浄器が公知である（特許文献２参照）。
【先行技術文献】
【特許文献】
【０００５】
【特許文献１】特開２０１０−１２４４９号公報
【特許文献２】特開２０１２−７５８３９号公報
【発明の概要】
【発明が解決しようとする課題】
【０００６】
上記従来の洗浄具を用いて洗浄する場合、いずれにおいても、ボトルの特に肩部の内面や底部の内面を十分に清浄にすることができないという問題があった。
【０００７】
また、購入した市販のＰＥＴボトル飲料水が、野菜ジュース、フルーツジュース、コーヒー等が入っていたものでは、従来の洗浄具をＰＥＴボトル内に挿入して摺洗を行っても、ボトルの特に肩部の内面や底部の内面は、十分に清浄にすることが困難であった。
【０００８】
本発明は、かかる技術的背景に鑑みてなされたものであって、ＰＥＴボトル等のボトルの側部の内面のみならず、肩部の内面及び底部の内面も十分に摺洗できるボトル用洗浄具を提供することを目的とする。
【課題を解決するための手段】
【０００９】
前記目的を達成するために、本発明は以下の手段を提供する。
【００１０】
［１］柄と、
前記柄から突出する態様で前記柄に設けられた第１洗浄部と、
前記第１洗浄部の先端部から、該第１洗浄部の軸線方向に対し斜め前方方向に延ばされた第２洗浄部と、
前記第２洗浄部の先端部から、前記第１洗浄部の軸線方向に略平行状に延ばされた第３洗浄部と、
前記第３洗浄部の先端部から、前記第１洗浄部の軸線方向に対し略直交する方向における内方に向けて延ばされた第４洗浄部と、を備えることを特徴とするボトル用洗浄具。
【００１１】
［２］前記第２洗浄部の軸線方向と、前記第１洗浄部の軸線方向とがなす角度（鋭角）が３０度〜６０度の範囲である前項１に記載のボトル用洗浄具。
【００１２】
［３］前記第１洗浄部、前記第２洗浄部、前記第３洗浄部、前記第４洗浄部は、それぞれブラシ部材または軟質多孔質部材で形成されている前項１または２に記載のボトル用洗浄具。
【００１３】
［４］前記柄は、基端側に配置された略棒状の第１柄部と、前記第１洗浄部側に配置された略棒状の第２柄部と、を備え、
前記略棒状の第２柄部の外径は、前記略棒状の第１柄部の外径よりも小さく、
前記第１柄部の内部に、前記第２柄部の少なくとも基端部を収容し得る挿通空間が設けられると共に、前記第１柄部の先端に前記挿通空間と連通する開口孔が設けられ、
前記第２柄部の少なくとも基端部が、前記開口孔を介して前記第１柄部の挿通空間内に挿通移動可能に配置され、
前記第２柄部が前記第１柄部に対して前方側に進出した進出位置で前記第２柄部を前記第１柄部に固定すると共に、前記第２柄部が前記第１柄部に対して前記進出位置よりも後方側に後退した位置で前記第２柄部を前記第１柄部に固定するロック手段を備えている前項１〜３のいずれか１項に記載のボトル用洗浄具。
【発明の効果】
【００１４】
［１］の発明では、柄から突出する態様で柄に設けられた第１洗浄部を備えているから、本発明の洗浄具の第１〜４洗浄部をＰＥＴボトル等のボトルの内部空間に配置して第１洗浄部をボトルの口部の内面に当接させながら、洗浄具を長さ方向に往復移動させたり、或いは洗浄具を回転させることで、第１洗浄部によりＰＥＴボトル等のボトルの口部の内面を十分に摺洗できる。
【００１５】
また、第１洗浄部の先端部から、該第１洗浄部の軸線方向に対し斜め前方方向に延ばされた第２洗浄部を備えているから、この第２洗浄部をボトルの肩部の内面に当接させながら洗浄具を回転させることで、該第２洗浄部によりボトルの肩部の内面を十分に摺洗できる。
【００１６】
また、第２洗浄部の先端部から、前記第１洗浄部の軸線方向に略平行状に延ばされた第３洗浄部を備えているから、この第３洗浄部をボトルの側部の内面に当接させながら洗浄具を回転させることで該第３洗浄部によりボトルの側部の内面を摺洗できるし、或いは洗浄具を長さ方向に往復移動させることでも該第３洗浄部によりボトルの側部の内面を十分に摺洗することができる。
【００１７】
また、第３洗浄部の先端部から、前記第１洗浄部の軸線方向に対し略直交する方向における内方に向けて延ばされた第４洗浄部を備えているから、この第４洗浄部をボトルの底部の内面に当接させながら洗浄具を回転させることで、該第４洗浄部によりボトルの底部の内面を十分に摺洗できる。
【００１８】
このように本発明のボトル用洗浄具を用いれば、ＰＥＴボトル等のボトルの口部の内面、側部の内面、肩部の内面及び底部の内面を十分に摺洗できる、即ちボトルの内面の略全部を十分に摺洗することができる。
【００１９】
［２］の発明では、第２洗浄部の軸線方向と第１洗浄部の軸線方向とがなす角度（鋭角）が３０度〜６０度の範囲に設定されているから、ボトルの肩部の内面に対する摺洗性能をより向上させることができる。
【００２０】
［３］の発明では、第１〜４の各洗浄部が、それぞれブラシ部材または軟質多孔質部材で形成されているから、こびりついた汚れ等でも摺洗により十分に除去洗浄することが可能となり、摺洗性能をさらに向上させることができる。
【００２１】
［４］の発明では、第２柄部が第１柄部に対して長さ方向において進退移動可能に構成されていて、かつ、第２柄部を第１柄部に対して前方側に進出した進出位置で固定できると共に、第２柄部を第１柄部に対して前記進出位置よりも後方側に後退した後退位置で固定できるロック手段を備えた構成であるから、第２柄部を第１柄部に対して後方側に後退させた後退位置で固定した状態の本洗浄具を用いて、例えば５００ｍＬ容量のＰＥＴボトルの内面の略全部を十分に摺洗することができる一方、例えば２０００ｍＬ容量（２Ｌ容量）のＰＥＴボトルの内面の略全部を十分に摺洗する場合には、第２柄部を第１柄部に対して前方側に進出した進出位置で固定した状態の本洗浄具を用いることでボトルの内面の略全部を十分に摺洗することができる。このように、本構成によれば、汎用されている様々な容量（大きさ）のボトルに対して、その内面の略全面を十分に摺洗することができる利点がある。
【図面の簡単な説明】
【００２２】
【図１】本発明に係るボトル用洗浄具の一実施形態を示す正面図である。
【図２】同じく平面図である。
【図３】図１におけるＸ−Ｘ線の断面図である。
【図４】図２におけるＹ−Ｙ線の断面図である。
【図５】図２におけるＦ−Ｆ線の断面図である。
【図６】図５の状態からロックを解除した状態を示す断面図（切断線は図５と同じＦ−Ｆ線）である。
【図７】（Ａ）はロック部材を示す断面図、（Ｂ）は第２柄部を示す側面図、（Ｃ）は第１柄部を示す断面図であり、（Ｄ）はロック部材を（Ａ）に示すＨ−Ｈ線で切断した断面を示す断面図、（Ｅ）は第２柄部を（Ｂ）に示すＪ−Ｊ線で切断した断面を示す断面図、（Ｆ）は第１柄部を（Ｃ）に示すＫ−Ｋ線で切断した断面を示す断面図である。
【図８】第２柄部を第１柄部に対して前方側に進出させた進出位置で固定した状態のボトル用洗浄具を示す図であって、（Ａ）は正面図、（Ｂ）は平面図である。
【図９】図１のボトル用洗浄具の使用状態の例を示す図であり、（Ａ）は第２柄部を第１柄部に対して後退位置で固定した状態でボトルの肩部の内面を含む領域の内面を摺洗している状態を示す正面図であり、（Ｂ）は第２柄部を第１柄部に対して前方側に進出させた進出位置で固定した状態でボトルの底部の内面を含む領域の内面を摺洗している状態を示す正面図である。
【発明を実施するための形態】
【００２３】
本発明に係るボトル用洗浄具の一実施形態を図面を参照しつつ説明する。本発明のボトル用洗浄具１は、柄２と、前記柄２の先端部に設けられた第１洗浄部（口部用洗浄部）１１と、該第１洗浄部１１の先端部に設けられた第２洗浄部（肩部用洗浄部）１２と、該第２洗浄部１２の先端部に設けられた第３洗浄部（側部用洗浄部）１３と、該第３洗浄部１３の先端部に設けられた第４洗浄部（底部用洗浄部）１４と、を備えている（図１、２参照）。
【００２４】
前記柄２は、樹脂製の略棒状体からなり、その基端部に吊下用孔（吊り下げ用孔）２１ａが設けられている。
【００２５】
前記第１洗浄部１１は、前記柄２の長さ方向の一端部（先端部）に設けられており、この第１洗浄部１１の針金の軸線方向と前記柄２の長さ方向とが略平行状である。前記第１洗浄部１１は、前記柄２の一部から外方に向けて突出している。前記第１洗浄部１１の先端部に前記第２洗浄部１２が設けられており、この第２洗浄部１２は、前記柄２の長さ方向（第１洗浄部１１の針金の軸線方向）に対し斜め前方方向に延びている。前記第２洗浄部１２の先端部に前記第３洗浄部１３が設けられており、この第３洗浄部１３の軸線方向と前記柄２の長さ方向（第１洗浄部１１の針金の軸線方向）とが略平行状である。さらに、前記第３洗浄部１３の先端部に前記第４洗浄部１４が設けられており、この第４洗浄部１４の軸線方向は、前記柄２の長さ方向（第１洗浄部１１の針金の軸線方向）に対し略直交している。前記第４洗浄部１４は、前記第３洗浄部１３の先端部から内方に向けて延びており、前記第４洗浄部１４の先端部は、前記柄２の長さ方向（第１洗浄部１１の針金の軸線方向）の略延長線（図１で２点鎖線）９上に位置している。
【００２６】
本実施形態では、前記第１〜４洗浄部１１、１２、１３、１４からなる洗浄部材は、２条の撚り合わされた針金１５の間に多数の繊維１６が連続状に挟着固定された棒状ブラシが、前記撚り合わされた一対の針金１５が折り曲げられることによって形成されたものである（図１、２参照）。前記第１洗浄部１１と前記第２洗浄部１２の境界において前記撚り合わされた一対の針金１５が略４５度の角度で折り曲げられ、前記第２洗浄部１２と前記第３洗浄部１３の境界において前記撚り合わされた一対の針金１５が略４５度の角度で折り曲げられ、さらに前記第３洗浄部１３と前記第４洗浄部１４の境界において前記撚り合わされた一対の針金１５が略９０度の角度で屈曲されている（図１、２参照）。
【００２７】
前記柄２は、基端側に配置された略棒状の第１柄部２１と、前記第１洗浄部１１側に配置された略棒状の第２柄部２２と、を備えている（図１、２参照）。前記第２柄部２２の先端の端面に取付用孔２２ａが形成されている（図７（Ｂ）参照）。前記第１洗浄部１１の基端側（柄側）に突出した一対の撚り合わされた針金１５が、加熱状態で前記第２柄部２２の取付用孔２２ａに挿通されることによって、前記針金１５の基端部が前記第２柄部２２の先端部に固定されている（図１、２参照）。
【００２８】
前記第１柄部２１の内部に前記第２柄部２２の少なくとも基端部を収容し得る挿通空間２３が設けられると共に、前記第１柄部２１の先端に前記挿通空間２３と連通する開口孔２４が設けられている（図３、図４、図７（Ｃ）参照）。また、前記第１柄部２１の先端側の周側壁において互いに対向する第１押込部用孔２１ｂおよび第２押込部用孔２１ｃが形成されている（図７（Ｃ）（Ｆ）参照）。
【００２９】
前記第２柄部２２の外周面における長さ方向の２等分中間位置より先端側において互いに対向する一対の係合用第１溝３１が設けられている（図４、図７（Ｂ）（Ｅ）参照）。また、前記第２柄部２２の外周面における基端側に互いに対向する一対の係合用第２溝３２が設けられている（図４、図７（Ｂ）参照）。図７（Ｅ）に示すように、前記一対の係合用第１溝３１は、いずれも、後述するロック部材３３の係合用突起３６を適合状態に受容し得る大きさ、形状に形成されている。また、前記一対の係合用第２溝３２も、同様に、いずれも、後述するロック部材３３の係合用突起３６を適合状態に受容し得る大きさ、形状に形成されている。しかして、前記係合用第１溝３１と前記係合用第２溝３２は、同じ大きさ、同じ形状である（図７（Ｂ）参照）。
【００３０】
前記ロック部材３３は、互いに対向して配置された第１押込部３４および第２押込部３５を備え、これら一対の押込部３４、３５が、互いに離間して配置された一対の連接板３７によって接合されてなり、これら第１押込部３４、第２押込部３５および一対の連接板３７によって取り囲まれる内部空間内に、前記第２柄部２２を挿通することができる（図７（Ｄ）（Ｅ）参照）。前記一対の連接板３７のそれぞれの内面に内方に突出する係合用突起３６が設けられている（図７（Ａ）（Ｄ）参照）。
【００３１】
しかして、前記ロック部材３３、係合用第１溝３１および係合用第２溝３２によって本発明におけるロック手段３０が構成されている。
【００３２】
前記第１柄部２１の第１押込部用孔２１ｂを介して前記ロック部材３３を第２押込部３５側から挿入し、さらに中に押し込んで前記第２押込部用孔２１ｃ内に第２押込部３５を配置せしめると共に、前記第１押込部用孔２１ｂ内に第１押込部３４を配置せしめ、且つ第１押込部３４を第１柄部２１の外周面よりやや突出させた状態に配置し、この状態で第２柄部２２をその基端部側から、前記第１柄部２１の開口孔２４を介してさらにロック部材３３の内部空間を挿通せしめて第１柄部２１の挿通空間２３内に挿通配置することによって、前記柄２を構成することができる。この時、前記第２柄部２２の外周面には第１ストッパー突部２５が設けられているから（図７（Ｂ）参照）、第２柄部２２の挿通を進めると、第１ストッパー突部２５が前記第１柄部２１の開口孔２４の外縁部に当接し（図４参照）、これにより第２柄部２２をこれ以上挿通できないものとなされていると共に、この当接した状態（当接位置）において、ロック部材３３の第１押込部３４を指等で押し込むと、図５に示すように、ロック部材３３の係合用突起３６が、第２柄部２２の係合用第１溝３１に適合状態に係合され、この係合により前記当接位置で第２柄部２２が第１柄部２１に対して固定される（ロックされる）（図１、２参照）。
【００３３】
前記柄２を伸長させる必要が生じたときは、前記ロック状態を解除するべく、前記ロック部材３３の第２押込部３５を指等で内方に押し込むと、図６に示すように、第１押込部３４がやや外方に突出すると共に、ロック部材３３の係合用突起３６が、第２柄部２２の係合用第１溝３１から離脱して、前記係合状態が解除される（前記ロック状態が解除される）。このロック解除により、第２柄部２２を第１柄部２１に対して前方側に引き出すことが可能となる。この時、前記第２柄部２２の外周面における前記係合用第２溝より基端側に第２ストッパー突部２６が設けられているから（図７（Ｂ）参照）、第２柄部２２の前方側への引き出しを進めると、第２ストッパー突部２６が前記ロック部材３３の連接板３７に当接し、これにより第２柄部２２をこれ以上前方側に引き出すことができないものとなされていると共に、この当接した状態（当接位置）において、ロック部材３３の第１押込部３４を指等で押し込むと、ロック部材３３の係合用突起３６が、第２柄部２２の係合用第２溝３２に適合状態に係合され、この係合により前記当接位置で第２柄部２２が第１柄部２１に対して固定される（ロックされる）（図８参照）。このようにして柄２を伸長させることができる。
【００３４】
このように、本実施形態では、前記ロック部材３３、係合用第１溝３１および係合用第２溝３２によって構成されるロック手段３０を備えているので、第２柄部２２が第１柄部２１に対して前方側に進出した進出位置で第２柄部２２を第１柄部２１に固定できる（図８参照）と共に、第２柄部２２が第１柄部２１に対して前記進出位置よりも後方側に後退した位置で第２柄部２２を第１柄部２１に固定することができる（図１、２参照）。
【００３５】
本発明において、前記第１〜４洗浄部１１、１２、１３、１４の構成材料としては、特に限定されるものではないが、上記棒状ブラシを折り曲げてなるものの他、軟質の樹脂発泡体（樹脂製スポンジ等）等の軟質多孔質部材などが挙げられる。
【００３６】
次に、本発明のボトル用洗浄具１を使用したボトル（ＰＥＴボトル等）１００の洗浄方法の一例について説明する。
【００３７】
例えば５００ｍＬ容量のＰＥＴボトル等の小さい大きさ（容量）のボトルを洗浄する場合には、第２柄部２２が第１柄部２１に対して前記進出位置よりも後方側に後退した位置で第２柄部２２が第１柄部２１に固定された状態の洗浄具（図１参照）を用いてボトルの洗浄を行う。この洗浄具（図１参照）を用いてボトルの内面の摺洗を行うことによって、ボトルの口部の内面、側部の内面、肩部の内面及び底部の内面を十分に洗浄することができる。
【００３８】
一方、例えば２０００ｍＬ容量のＰＥＴボトル等の大きい（容量の）ボトルを洗浄する場合には、図１の状態の洗浄具ではボトルの底部に第４洗浄部１４が届かないので、第２柄部２２が第１柄部２１に対して前方側に進出した進出位置で第２柄部２２が第１柄部２１に固定された状態の洗浄具（図８参照）を用いてボトルの洗浄を行う。図８の洗浄具１では、柄２が伸長された状態であるので（柄２が長いので）、図９（Ｂ）に示すように、第４洗浄部１４がボトル１００の底部１０４の内面に当接し、第３洗浄部１３がボトル１００の側部１０３の内面の下方側に当接した状態で、柄２を回転させることによってこれら内面を摺洗することができる。
【００３９】
また、柄２を引き上げて、第１洗浄部１１がボトル１００の口部１０１の内面に当接し、第２洗浄部１２がボトル１００の肩部１０２の内面に当接し、第３洗浄部１３がボトル１００の側部１０３の内面の上方側に当接した状態で、柄２を回転させることによってこれら内面を摺洗することができる。この時、図９（Ａ）に示すように、第２柄部２２が第１柄部２１に対して前記進出位置よりも後方側に後退した位置で第２柄部２２が第１柄部２１に固定された状態にして（柄２の長さを短くして；図１参照）、前記同様に、第１洗浄部１１がボトル１００の口部１０１の内面に当接し、第２洗浄部１２がボトル１００の肩部１０２の内面に当接し、第３洗浄部１３がボトル１００の側部１０３の内面の上方側に当接した状態で、柄２を回転させることによってこれら内面を摺洗するようにしてもよい（図９（Ａ）参照）。
【００４０】
なお、上記洗浄方法は、その一例を示したものに過ぎず、本発明のボトル用洗浄具１を用いた洗浄方法は、特にこのような洗浄方法に限定されるものではない。
【産業上の利用可能性】
【００４１】
本発明のボトル用洗浄具は、ＰＥＴ（ポリエチレンテレフタレート）ボトル用洗浄具として好適に用いられるが、特にＰＥＴボトル用に限定されるものではなく、他のボトルの洗浄具としても使用できる。
【符号の説明】
【００４２】
１…ボトル用洗浄具
２…柄
１１…第１洗浄部（口部用洗浄部）
１２…第２洗浄部（肩部用洗浄部）
１３…第３洗浄部（側部用洗浄部）
１４…第４洗浄部（底部用洗浄部）
２１…第１柄部
２２…第２柄部
２３…挿通空間
２４…開口孔
３０…ロック手段
【図１】
2017056366.tif 000003
【図２】
2017056366.tif 000004
【図３】
2017056366.tif 000005
【図４】
2017056366.tif 000006
【図５】
2017056366.tif 000007
【図６】
2017056366.tif 000008
【図７】
2017056366.tif 000009
【図８】
2017056366.tif 000010
【図９】
2017056366.tif 000011